(57)【要約】【課題】アンテナ出力端子から妨害信号が漏洩していた。【解決手段】分配器２に近接して発振器７とアンテナ出力端子１８との間を仕切る金属製の仕切板１５を設けるとともに、この仕切板１５はプリント基板２１の上方、下方ともにケース１４内の空間を分割するように設けられているので、アンテナ出力端子からの発振信号の基本周波数あるいは高調波周波数の漏洩を十分に低減させることができるものである。これにより、初期の目的を達成することができる。【選択図】図１
2006109212.tif 000002
【特許請求の範囲】
【請求項１】
金属製のケースと、このケースに装着されたプリント基板と、前記ケースまたはプリント基板に設けられたアンテナ入力端子と、このアンテナ入力端子が入力に接続された分配器と、この分配器の一方の出力に接続されるとともに、前記ケースまたは前記プリント基板に設けられたアンテナ出力端子と、前記分配器の他方の出力が一方の入力に供給される混合器と、この混合器の他方の入力に接続された発振器と、前記混合器の出力からの信号が供給されるチューナ出力端子とを備え、前記分配器に近接して前記発振器と前記アンテナ出力端子との間を仕切る金属製の仕切り板を設けるとともに、この仕切り板は前記プリント基板の上方、下方ともに前記ケース内の空間を分割するように設けられた電子チューナ。
【請求項２】
仕切り板の下方側に２本のスリットを近接して設けて接続部を形成するとともに、この接続部とプリント基板のグランドパターンとを半田付け接続した請求項１に記載の電子チューナ。
【請求項３】
スリットに対応するプリント基板上には、信号ラインあるいは電源ラインのパターンが敷設された請求項２に記載の電子チューナ。
【請求項４】
分配器は、不平衡バランと平衡バランとからなり、前記不平衡バランの一方にはアンテナ入力端子が接続されるとともに、他方はグランドに接続され、前記平衡バランの一方にはアンテナ出力端子が接続されるとともに、他方からの出力信号は混合器の一方の入力に供給され、前記平衡バランの中間点に設けられた平衡バラン用中間点と前記不平衡バランの中間点に設けられた不平衡バラン用中間点とが接続された請求項１に記載の電子チューナ。
【請求項５】
不平衡バランが装着されたプリント基板の面と反対側の面には、大面積のグランドパターンが配置された請求項４に記載の電子チューナ。
【請求項６】
不平衡バランと、発振器を構成する発振用コイルとを結ぶ直線間には、スリットを未形成とした仕切り板が設けられた請求項４に記載の電子チューナ。
【発明の詳細な説明】
【技術分野】
【０００１】
本発明は、入力されたテレビ放送信号を分配する分配器付きの電子チューナに関するものである。
【背景技術】
【０００２】
以下、従来の電子チューナについて説明する。従来の電子チューナは、金属製のケースと、このケースに装着されたプリント基板と、前記ケースまたはプリント基板に設けられたアンテナ入力端子と、このアンテナ入力端子が接続された分配器と、この分配器の一方の出力に接続されるとともに、前記ケースに設けられたアンテナ出力端子と、前記分配器の他方が一方の入力に供給される混合器と、この混合器の他方の入力に接続された発振器と、前記混合器の出力からの信号が供給されるチューナ出力端子とで構成されていた。そして、前記アンテナ出力端子には、例えばテレビ受信機が接続されるものであった。
【０００３】
なお、この出願の発明に関連する先行技術文献情報としては、例えば、特許文献１が知られている。
【特許文献１】特開２００１−２０３５９５号公報
【発明の開示】
【発明が解決しようとする課題】
【０００４】
しかしながら、このような従来の電子チューナでは、発振器とアンテナ出力端子との間の高周波的絶縁が不充分であり、発振器からの基本周波数あるいはその高調波周波数が、分配器を介してアンテナ出力端子に飛び込み、アンテナ出力端子に接続されるテレビ受信機に妨害を与えるという問題があった。即ち、アンテナ出力端子から出力される発振器の基本周波数成分あるいは高調波周波数が、テレビ受信機の受信信号の周波数に一致する場合には、テレビ受信機が妨害を受けることになる。
【０００５】
そこで本発明は、このような問題を解決したもので、アンテナ出力端子から出力する発振信号の漏洩を低減させる電子チューナを提供することを目的としたものである。
【課題を解決するための手段】
【０００６】
この目的を達成するために本発明の電子チューナでは、分配器に近接して発振器とアンテナ出力端子との間を仕切る金属製の仕切り板を設けるとともに、この仕切り板はプリント基板の上方、下方ともにケース内の空間を分割するように設けられたものである。これにより、初期の目的を達成することができる。
【発明の効果】
【０００７】
以上のように本発明の電子チューナは、分配器に近接して発振器とアンテナ出力端子との間を仕切る金属製の仕切り板を設けるとともに、この仕切り板はプリント基板の上方、下方ともにケース内の空間を分割するように設けられているので、アンテナ出力端子からの発振信号の基本周波数あるいは高調波周波数の漏洩を十分に低減させることができるものである。従って、この電子チューナのアンテナ出力端子に接続されるテレビ受信機では、この漏洩による妨害信号の影響を受けることはなく、良質のテレビ画面を楽しむことができる。
【発明を実施するための最良の形態】
【０００８】
（実施の形態１）
以下、図面に基づいて本発明の電子チューナについて説明する。図１において、１はテレビ放送波が入力されるアンテナ入力端子である。２は、このアンテナ入力端子１に接続された分配器であり、この分配器２の一方の出力は、アンテナ同調回路３に接続されている。そして、このアンテナ同調回路３の出力は高周波増幅器４を介して段間同調回路５の入力に接続されている。
【０００９】
この段間同調回路５の出力は混合器６の一方の入力に接続されるとともに、他方の入力には発振器７の出力が接続されている。また、混合器６の出力は中間周波数フィルタ８を介して中間周波数増幅器９の入力に接続されており、この中間周波数増幅器９の周波数は、チューナ出力端子１０に接続されている。
【００１０】
１１は、ＰＬＬ回路であり、このＰＬＬ回路１１の一方の入力には発振器７の出力が接続されている。また、他方の入力には水晶振動子１２の一方の端子が接続されている。また、この水晶振動子１２の他方の端子はグランドに接続されている。１３は、データ入力端子であり、このデータ入力端子１３はＰＬＬ回路１１のデータ入力に接続されている。また、ＰＬＬ回路１１の出力は、発振器７の発振制御入力に接続されるとともに、段間同調回路５の周波数制御端子に接続されている。
【００１１】
以上のように構成された電子チューナはプリント基板２１（図２参照）上に実装され、金属製のケース１４に装着されている。また、１５は仕切板であり、分配器２とアンテナ同調回路３との間に設けられている。このアンテナ同調回路３を含む電子チューナの本体側に発振器７が実装されている。
【００１２】
ここで、分配器２は、不平衡バラン１６と平衡バラン１７とで構成されている。不平衡バラン１６の一方の端子はアンテナ入力端子１に接続されており、他方の端子はグランドに接続されている。また、平衡バラン１７の一方の端子はアンテナ出力端子１８に接続されるとともに、他方の端子はアンテナ同調回路３の入力に接続されている。そして、不平衡バラン１６の中間点（不平衡バラン用中間点）と平衡バラン１７の中間点（平衡バラン用中間点）とはパターンで接続されている。
【００１３】
以上のように構成された電子チューナについて、以下にその動作を説明する。アンテナ入力端子１に入力されたテレビ放送波は、分配器２で分配され、一方の信号はアンテナ出力端子１８から出力されるとともに、他方の信号は電子チューナ本体に入力される。
【００１４】
ここで、分配器２は、不平衡バラン１６と平衡バラン１７とで構成されているので、アンテナ入力端子１から入力されたテレビ放送波は平衡出力に変換されている。従って、テレビ放送波を分配するとともに、平衡出力に変換することにより、外部からの妨害信号に対して、その影響が少なくなるように配慮している。
【００１５】
平衡バラン１７の他方の信号はアンテナ同調回路３を通過した後、高周波増幅器４で増幅される。そして、次に段間同調回路５ではＰＬＬ回路１１の出力で同調される。この段間同調回路５の出力は混合器６で発振器７の出力と混合されて中間周波数に変換される。この信号は中間周波数フィルタ８で中間周波数のみ通過される。即ち選局される。
【００１６】
そして、この選局された中間周波数は中間周波数増幅器９で増幅された後、チューナ出力端子１０から出力される。この電子チューナの選局は、データ入力端子１３から入力される信号に基づいて、発振器７の発振周波数と段間同調回路５の同調電圧を制御することにより行われる。
【００１７】
図２は、電子チューナの平面図である。図２において、アンテナ入力端子１とアンテナ出力端子１８は共にケース１４の一方の縦側面１４ａに装着されている。また、これはアンテナ入力端子１とアンテナ出力端子１８とは、プリント基板２１から直接ケース１４外へ導出することもできる。２１はプリント基板であり、このプリント基板２１はケース１４内に装着されている。
【００１８】
そして、アンテナ入力端子１に近接して不平衡バラン１６がプリント基板２１に実装されるとともに、アンテナ出力端子１８に近接して平衡バラン１７がプリント基板２１に実装されている。なお、ここで、不平衡バラン１６の装着されたプリント基板２１の裏面は、そのほとんどをグランドパターンとしている。即ち、大面積のグランドパターンを形成している。このことにより、この不平衡バラン１６に浸入するノイズを防いでいる。なお、不平衡バラン１６と平衡バラン１７とは、お互いに影響を与えないように直角に配置している。また、不平衡バラン１６と平衡バラン１７とは、ケース１４と仕切板１５とで囲まれた区画室２０内に実装されている。
【００１９】
この区画室２０と電子チューナの本体部との間を金属製の仕切板１５で分割している。次に、この仕切板１５と仕切板２２とケース１４で仕切られた区画室２３にはアンテナ同調回路３が実装されている。また、仕切板２２と仕切板２４とケース１４で仕切られた区画室２５には段間同調回路５が実装されている。
【００２０】
仕切板２４と仕切板２６とケース１４で仕切られた区画室２７には混合器６と発振器７とＰＬＬ回路１１とが実装されている。ここで、２８ａは発振器７を構成するＶＨＦのバンド用の発振コイルであり、２８ｂは発振器７を構成するＶＨＦのＨバンド用の発振コイルであり、また、２８ｃは発振器７を構成するＵＨＦ用の発振コイルである。
【００２１】
ここで、発振器７から出力される発振周波数がノイズ源となって、このノイズがアンテナ出力端子１８に妨害を与える。特に発振コイル２８ａ，２８ｂ，２８ｃがアンテナとなって出力されるレベルは高く、その影響は大きい。この発振周波数がアンテナ出力端子１８に重畳されると、この発振周波数は妨害信号となって、アンテナ出力端子１８に接続される映像機器（テレビ受信機やビデオテープレコーダ等）の映像品質を劣化させることになる。
【００２２】
そこで、本実施の形態では、先ず、発振器７とアンテナ出力端子１８との空間距離を離している。次に、アンテナ入力端子１やアンテナ出力端子１８に接続される不平衡バラン１６や平衡バラン１７に近接して、強固な仕切板１５を設けている。次に、この仕切板１５について説明する。
【００２３】
図３は、電子チューナの断面図である。ここでは、仕切板１５とプリント基板２１の関係について、詳細に説明している。
【００２４】
仕切板１５は、プリント基板２１に立設された孔２１ａを貫通して設けられている。即ち、プリント基板２１の上側と下側とで別々の仕切板を形成するのではなく一体的に形成されている。このことにより、区画室２０と、この区画室２０に隣接する区画室２３との間のシールド効果を向上させている。
【００２５】
また、この仕切板１５は、プリント基板２１と、ケース１４と、上蓋３０ａとで形成される空間３１ａを略完全に覆うように形成して区画室２０と区画室２３とのシールド性を向上させている。
【００２６】
同様に、この仕切板１５は、プリント基板２１と、ケース１４と、下蓋３０ｂとで形成される空間３１ｂを略完全に覆うように形成して区画室２０と区画室２３との間のシールド性を向上させている。
【００２７】
この仕切板１５で区画室２０と区画室２３とは完全に仕切ることが望ましい。しかし、以下の理由で一部については区画室２０と区画室２３とを貫通する空間を有している。
【００２８】
即ち、仕切板１５とプリント基板２１のグランドとを電気的に接続するために、仕切板１５の下方に近接した２本のスリット３２ａ，３２ｂを設け、このスリット３２ａ，３２ｂ間に接続部３３を形成している。そして、この接続部３３でプリント基板２１のグランドパターンと半田３４で確実に接続されている。
【００２９】
また、３５は、平衡バラン１７の他方からアンテナ同調回路３へ信号を導く信号ラインであり、プリント基板２１上に銅箔パターンで形成されている。この銅箔パターンで形成された信号ライン３５を通過させるため、仕切板１５の略中央に凹部３６が形成されている。この凹部３６は信号ライン３５のＱの低下をまねかないように大き目に形成されている。したがって、発振器７（特に発振コイル２８ａ，２８ｂ，２８ｃ）から輻射される発振信号がこの凹部３６を通過して不平衡バラン１６（不平衡バランはその構造上ノイズの影響を受け易い）に到達しないように、発振器７（特に発振コイル２８ａ，２８ｂ，２８ｃ）と不平衡バラン１６との直線上間にはこの凹部３６が形成されないようにしている。即ち、この間は、プリント基板２１の上面と下面を貫通させて仕切板１５によるシールド性を特に高めている。
【００３０】
３７は、プリント基板２１の横側面近傍に敷設された電源ラインであり、銅箔パターンで形成されている。この電源ライン３７を通すため、対応する仕切板１５には切り欠き部３８が設けられている。なお、スリット３２ａ，３２ｂに対応するプリント基板２１の上面にも信号ラインや電源ラインを敷設することができる。
【産業上の利用可能性】
【００３１】
本発明にかかる電子チューナは、アンテナ出力端子から出力される発振信号の漏洩が低減されるので、このアンテナ出力端子に他の映像機器を接続する電子チューナとして有用である。
【図面の簡単な説明】
【００３２】
【図１】本発明の実施の形態１における電子チューナのブロック図
【図２】同、平面図
【図３】同、断面図
【符号の説明】
【００３３】
１  アンテナ入力端子
２  分配器
６  混合器
７  発振器
１０  アンテナ出力端子
１４  ケース
１５  仕切板
１８  アンテナ出力端子
２１  プリント基板
【図１】
2006109212.tif 000003
【図２】
2006109212.tif 000004
【図３】
2006109212.tif 000005